(57)【要約】      （修正有）【課題】構造がシンプルで、狭所でも作業性がよく安全なトラクタ耕耘爪の脱着アタッチメントを提供する。【解決手段】アタッチメント１は、電動式又はエア式回転工具に装着して使用する、トラクタ耕耘爪脱着用アタッチメントであって、六角穿穴を設けた出力ソケット１１と該出力ソケットを嵌め合って自在継手機構を形成する出力ソケット嵌合部１２とからなる出力部１０と、電動式又はエア式回転工具を装着する嵌穴を備える入力ソケット２２と、電動式又はエア式回転工具の回転を出力部に伝える延伸棒２１と、ハンドル２３とからなる入力部２０とを備え、出力部の出力ソケット嵌合部の嵌穴に入力部の延伸棒の先端を挿入して連結固定し、かつ、さらに、出力ソケットと出力ソケット嵌合部とが嵌め合う位置に、出力ソケットの底部を支持しかつ軸方向の変位を吸収する圧縮コイルバネを備える。【選択図】図１
0003219385.tif 000002
【実用新案登録請求の範囲】
【請求項１】
電動式又はエア式回転工具に装着して使用する、トラクタ耕耘爪脱着用アタッチメントであって、
六角穿穴を設けた出力ソケットと該出力ソケットを嵌め合って自在継手機構を形成する出力ソケット嵌合部とからなる出力部と、
前記電動式又はエア式回転工具を装着する嵌穴を備える入力ソケットと、前記電動式又はエア式回転工具の回転を前記出力部に伝える延伸棒と、ハンドルとからなる入力部と、を備え、  
前記出力部の前記出力ソケット嵌合部の嵌穴に前記入力部の前記延伸棒の先端を挿入して連結固定し、かつ、前記出力ソケットと前記出力ソケット嵌合部とが嵌め合う位置に、前記出力ソケットの底部を支持しかつ軸方向の変位を吸収する圧縮コイルバネを備えることを特徴とするトラクタ耕耘爪脱着用アタッチメント。
【考案の詳細な説明】
【技術分野】
【０００１】
本考案は、トラクタ耕耘爪の脱着アタッチメント、特に電動式又はエア式回転工具に装着して使用するアタッチメントに関する。
【背景技術】
【０００２】
一般に、農作業機は、図５（ａ）に示すとおり、トラクタＴの後部に連結される機体と、この機体に回転可能に設けられ回転しながら耕耘作業をする耕耘体と、この耕耘体の後方で整地作業をする整地体とを備え、トラクタの走行により進行方向である前方に向かって圃場上を移動しながら耕耘整地作業等をするものである。また、図５（ｂ）に示すとおり、耕耘体は、機体に回転可能に設けられた回転軸Ｊと、この回転軸Ｊの外周面に複数の耕耘爪Ｎを有している。より詳細には、図５（ｃ）に示すとおり、回転軸Ｊの外周面に複数のフランジＦが突設され、複数の耕耘爪Ｎは各フランジＦに脱着可能に取り付けられている。
【０００３】
前述の耕耘体の回転軸Ｊから耕耘爪Ｎをレンチを使用した手作業で交換するとなると、作業者にとっては長時間の重労働となる。
【０００４】
電動工具を使用して作業するためのアタッチメントとして、電動工具の装着部に着脱自在に装着穴部をもつ出力装着部を備えてなる構造のアタッチメントが下記特許文献において提案されている。しかしながら、特許文献１に係る構造の場合、電動工具の装着部の回転軸線と同一軸線上の入力装着部の装着軸部の回転軸線と上記出力装着部の装着穴部の回転軸線とを前者の構造にあっては固定角度に変向自在、特許文献２に係る構造にあっては、任意角度に変向自在とする構造を備えているものの、電動工具の形状及び作業位置の狭さ等の作業条件によっては、装着軸部の回転軸線と装着穴部の回転軸線との変向角度の自由度が小さく、用途に制約を受ける。
【０００５】
また、出力装着部が着脱自在であることから、作業中に該出力装着部が飛散することが少なくなく、作業に支障をきたすのみならず、安全を確保できないという問題がある。さらに、該出力装着部を飛散しないようにするため、手を添えると火傷をする可能性もある。
【０００６】
さらに、特許文献３に係る構造にあっては、電動式回転工具の装着部に着脱自在に装着可能な装着軸部をもつ入力装着部及びドライバービット等の工具を着脱自在に装着可能な装着穴部をもつ出力装着部を備えてなり、上記入力装着部及び出力装着部の間に交差変向機構をもつ中間伝達部を設けると共に上記入力装着部に上記装着軸部の回転軸線を固定又は変向可能な自在継手機構を設け、前述特許文献１及び２の問題点を解決するとともに、さらにハンドルを設けることで、出力装着部の飛散の防止と火傷の防止を図ることができるとしている。
【先行技術文献】
【特許文献】
【０００７】
【特許文献１】特開平８−１１８２４７号公報
【特許文献２】特開２０００−３１７８５２号公報
【特許文献３】実用新案登録第３１６３６３５号公報
【考案の概要】
【考案が解決しようとする課題】
【０００８】
ところが、特許文献３の構造は複雑で製造にコストがかかり、トラクタの耕耘爪を交換するスペースで作業するには構造体が大きく作業性に問題が残る。
【０００９】
本考案は、このような問題に鑑み、構造がシンプルで、狭所でも作業性がよく安全なトラクタ耕耘爪の脱着アタッチメントを提供することを目的とする。なお、トラクタ耕耘爪の脱着アタッチメントを、以下、単に「アタッチメント」という。
【課題を解決するための手段】
【００１０】
上記問題を解決するために、本考案のアタッチメントは、電動式又はエア式回転工具に装着して使用する、トラクタ耕耘爪脱着用アタッチメントであって、六角穿穴を設けた出力ソケットと該出力ソケットを嵌め合って自在継手機構を形成する出力ソケット嵌合部とからなる出力部と、電動式又はエア式回転工具を装着する嵌穴を備える入力ソケットと、電動式又はエア式回転工具の回転を出力部に伝える延伸棒と、ハンドルとからなる入力部とを備え、出力部の出力ソケット嵌合部の嵌穴に入力部の延伸棒の先端を挿入して連結固定し、かつ、さらに、出力ソケットと出力ソケット嵌合部とが嵌め合う位置に、出力ソケットの底部を支持しかつ軸方向の変位を吸収する圧縮コイルバネを備えることを特徴とする。
【考案の効果】
【００１１】
本考案に係るアタッチメントは、出力ソケットの回転軸線を固定又は変向可能な自在継手機構を設けているので、電動式又はエア式回転工具からの回転を自在継手機構により任意角度に変向することができ、作業位置の狭さ等の作業条件により生ずる制約を回避して迅速に作業を進めることができ、作業効率を高めることができる。また、本考案に係るアタッチメントは、出力部と入力部が固定されているので、出力部が飛散するおそれがなく、安全に作業を行うことができる。
【００１２】
また、本考案に係るアタッチメントは、ハンドルを備えているので、作業中の火傷を防止する効果がある。
【図面の簡単な説明】
【００１３】
【図１】本考案に係るアタッチメントの正面図である。
【図２】本考案に係るアタッチメントの出力部を示す図である。
【図３】本考案に係るアタッチメントの入力部を示す断面図である。
【図４】耕耘爪を脱着する様子を示す図である。
【図５】農業トラクタに設けられた耕耘爪を示す図である。
【考案を実施するための形態】
【００１４】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１５】
実施例１を図面を参照して詳細に説明する。
【００１６】
まず、アタッチメント１の全体構成を説明する。図１は、本考案に係るアタッチメント１の正面図である。図１に示すとおり、概して、アタッチメント１は出力部１０と入力部２０とからなる。出力部１０は、出力ソケット１１とソケット嵌合部とからなる。入力部２０は、延伸棒２１と入力ソケット２２とハンドル２３とからなる。出力部１０の出力ソケット嵌合部１２の嵌穴に入力部２０の延伸棒２１の先端を挿入して連結固定される。連結固定は、ピンやねじで固定してもよいし、溶接で固定してもよい。なお、出力部１０及び入力部２０のいずれも鉄等金属で作られるとよい。
【００１７】
図２を参照する。図２は、本考案に係るアタッチメント１の出力部１０を示す図であり、（ａ）は、出力ソケット１１が変向自在であることを示す図であり、（ｂ）は出力部１０の断面図であり、（ｃ）は、図１に係るアタッチメント１の平面図である。前述したとおり、出力部１０は、出力ソケット１１とソケット嵌合部１２とからなる。なお、出力ソケット１１とソケット嵌合部１２とが連結して自在継手機構を形成する。
ここで、自在継手は一対の回転軸を連結し、回転軸間の角度を変化させることができるようになっているもので、ユニバーサルジョイントとも呼ばれる。自在継手の多くは、回転軸に固定された一対の二股ヨークを含み、二股ヨークはスパイダーまたは十字継手によって連結され、互いに独立した軸を中心として回転する。
図２（ａ）において、出力ソケット１１を符号１１ａ、１１ｂ（点線で示す）として示しているように、出力ソケット１１は、自在継手機構により変向自在である。
図２（ｂ）に示すとおり、出力ソケット１１と出力ソケット嵌合部１２とが連結して自在継手機構を形成するが、出力ソケット１１は、継手部１１１でソケット嵌合部１２に揺動・摺動自在に嵌合している。なお、本考案の実施例において十字継手が用いられているが、限定されない。また、出力ソケット嵌合部１２が出力ソケット１１の継手部１１１の底部を受ける位置に、軸方向の変位を吸収する圧縮コイルバネＳを配設している。出力ソケット嵌合部１２とは、
図２（ｃ）に示すとおり、出力ソケット１１は上面に六角ボルトを嵌め合わせる六角穿穴１１０を備える。
【００１８】
図３を参照する。図３は、本考案に係るアタッチメント１の入力部２０を示す断面図である。入力部２０は、延伸棒２１と入力ソケット２２とハンドル２３とからなる。
入力ソケット２２は、インパクトドライバＤ等の電動式又はエア式回転工具の工具を装着する嵌穴２２０を備え、インパクトドライバＤ等の回転を延伸棒２１に伝え、さらに出力部１０に伝え、出力ソケット１１を回転させる。
ハンドル２３は円筒部材で、図３に示すように、ハンドル２３の内壁と延伸棒２１との間にベアリング２３０を配置してもよいし、ハンドル２３の両端開口に軸受部を介して延伸棒２１を貫通させてもよい。
【００１９】
図４を参照する。図４は、ボルトＢにアタッチメント１の出力ソケット１１を取り付けて、耕耘爪Ｎを脱着する様子を示す図である。作業の様子を説明する。まず、トラクタＴの耕耘爪が取り付けられた六角ボルトＢに出力ソケット１１の六角嵌穴１１０を挿入し、インパクトドライブＤを駆動させると、延伸棒２１を介し、出力ソケット１１が回転する。インパクトドライブＤの正逆により、ボルトＢの装着又は脱離を迅速かつ安全に行うことが可能となる。
【００２０】
以上、本考案に係るアタッチメントにおける好ましい実施形態を図示して説明してきたが、本考案の技術的範囲を逸脱することなく種々の変更が可能であることは理解されるであろう。
【産業上の利用可能性】
【００２１】
本考案に係るアタッチメントは、トラクタ耕耘爪の脱着用のみならず、六角ボルトの交換や脱着に電動式又はエア式回転工具を使用する場合の、狭所における脱着アタッチメントとして広く利用することができる。
【符号の説明】
【００２２】
１  アタッチメント
１０  出力部
１１  出力ソケット
１１０  六角穿穴
１１１  継手部
１２  出力ソケット嵌合部
２０  入力部
２１  延伸棒
２２  入力ソケット
２２０  穿穴
２３  ハンドル
Ｓ  圧縮コイルバネ
Ｎ  耕耘爪
Ｂ  ボルト
Ｄ  インパクトドライバ
【図１】
0003219385.tif 000003
【図２】
0003219385.tif 000004
【図３】
0003219385.tif 000005
【図４】
0003219385.tif 000006
【図５】
0003219385.tif 000007